【手続補正書】
【提出日】平成28年7月8日(2016.7.8)
【手続補正１】
【補正対象書類名】明細書
【補正対象項目名】０００６
【補正方法】変更
【補正の内容】
【０００６】
本発明に係るレンズ鏡筒は、固定筒と、前記固定筒に対して周方向に無制限に回転可能に保持された操作環と、距離目盛と指標線により前記操作環と前記固定筒の相対的な位置関係を表示する表示手段と、前記操作環の回転位相を検出する回転位相検出手段と、レンズを保持し、前記操作環が回転操作されることによって光軸方向で移動するレンズ保持枠と、前記レンズ保持枠の光軸方向での位置を検出するレンズ位置検出手段と、前記表示手段における表示を制御する表示制御手段とを備え、前記表示手段において、前記距離目盛と前記指標線の一方が前記操作環と前記固定筒の一方に表示されると共に、前記距離目盛と前記指標線の他方が前記操作環と前記固定筒の他方に表示され、前記表示制御手段は、前記回転位相検出手段により検出された前記操作環の回転位相と、前記レンズ位置検出手段により検出された前記レンズ保持枠の光軸方向での位置とに基づいて、前記表示手段に表示する前記距離目盛と前記指標線の位置関係を決定することを特徴とする。
【手続補正２】
【補正対象書類名】明細書
【補正対象項目名】００２４
【補正方法】変更
【補正の内容】
【００２４】
第３のレンズ保持枠５の初期位置は、第３のレンズ保持枠５がレンズ鏡筒の像面側（撮像部側）に突き当たった状態で決定されている。よって、以降の第３のレンズ保持枠５の位置検出（第５レンズ群Ｌ５のレンズ位置検出）と駆動制御は、第３のレンズ保持枠５に保持された光学スケールが光学センサに対して移動することに伴って生じる光学センサの出力信号に基づき、マイコン４２が行う。即ち、マイコン４２は、第５レンズ群位置センサ５３からの入力信号と、フォーカススイッチ５１又はオートフォーカス実行指令等の信号に応じて、第５レンズ群駆動回路４６へ駆動信号を出力する。第５レンズ群駆動回路４６は、マイコン４２からの入力信号にしたがって空芯コイル１４に通電を行い、第３のレンズ保持枠５（第５レンズ群Ｌ５）を光軸方向に駆動する。
【手続補正３】
【補正対象書類名】明細書
【補正対象項目名】００２８
【補正方法】変更
【補正の内容】
【００２８】
固定筒５５には、印刷或いは彫刻等により距離目盛５５ａが記されている。ここでは、無限遠（∞），５ｍ，３ｍ，１ｍの被写体距離が記されているものとする。図２（Ａ）の状態は、第５レンズ群位置センサ５３によって、第５レンズ群Ｌ５（第３のレンズ保持枠５）は無限遠の被写体に合焦する位置にあると位置検出されている。その結果、指標線５６ａは距離目盛５５ａの∞と一致する位置に表示されるように表示制御がなされている。
【手続補正４】
【補正対象書類名】明細書
【補正対象項目名】００２９
【補正方法】変更
【補正の内容】
【００２９】
図２（Ｂ）は、図２（Ａ）の状態から、指標線５６ａが距離目盛５５ａの１ｍ表示と一致する位置まで、操作環５４を図２（Ｂ）中のＣＷ方向に回転させた状態を示している。操作環５４の回転操作が、撮影者が操作環５４を回転操作して合焦させるマニュアルフォーカス操作である場合、操作環５４の回転方向と回転位相は操作環位置検出部５７により検出される。そこで、第５レンズ群駆動回路４６は、マイコン４２からの入力信号に応じて操作環５４の回転量に応じた駆動量を空芯コイル１４に通電し、第５レンズ群Ｌ５（第３のレンズ保持枠５）を光軸方向に移動させる。
【手続補正５】
【補正対象書類名】明細書
【補正対象項目名】００３０
【補正方法】変更
【補正の内容】
【００３０】
一方、オートフォーカス動作の場合は、合焦判定部（不図示）によってデフォーカス量と駆動方向に応じた信号が第５レンズ群駆動回路４６を介して空芯コイル１４に供給され、第５レンズ群Ｌ５（第３のレンズ保持枠５）を光軸方向に駆動させる。第５レンズ群Ｌ５の光軸方向位置は、第５レンズ群位置センサ５３によって検出される。マイコン４２は、その検出結果を被写体距離情報に変換し、変換結果と操作環５４の回転位相とに基づいて、表示部５６において固定筒５５の距離目盛５５ａに対応する位置に指標線５６ａを表示させる。
【手続補正６】
【補正対象書類名】明細書
【補正対象項目名】００３２
【補正方法】変更
【補正の内容】
【００３２】
図２（Ｄ）は、図２（Ｃ）の状態から撮像装置の電源をオンし、又は、スリープモードから復帰したことで、表示部５６への通電が再開されたときの状態を示している。復帰後には、第５レンズ群位置センサ５３によって第５レンズ群Ｌ５（第３のレンズ保持枠５）の光軸方向位置が検出される。また、操作環５４の回転位相は、操作環位置検出部５７にて検出される。よって、マイコン４２は、これらの検出結果に基づいて、指標線５６ａを距離目盛５５ａの１ｍと一致する位置に表示する。
【手続補正７】
【補正対象書類名】明細書
【補正対象項目名】００３７
【補正方法】変更
【補正の内容】
【００３７】
なお、本実施形態では、基板５８を電極５８ａ〜５８ｃが延びる方向に沿って、ＺＯＮＥ＿Ａ〜ＺＯＮＥ＿Ｄに４分割したが、分割するＺＯＮＥ数を増やすことで分解能を細かくして、検出精度を高めることができる。但し、距離目盛５５ａに対して正確に指標線５６ａを表示させるためには、パターンエンコーダのみの位置検出では分解能不足である。そこで、図３のパターンエンコーダと不図示のインクリメンタル方式の位置検出手段とを組み合わせ、これにより、安価に操作環５４の位置検出を可能とする。なお、インクリメンタル方式の位置検出手段としては、第３のレンズ保持枠５の位置検出に用いた光学スケールと光学センサとからなる検出機構と同等のものを用いることができる。
【手続補正８】
【補正対象書類名】明細書
【補正対象項目名】００４３
【補正方法】変更
【補正の内容】
【００４３】
５    第３のレンズ保持枠
１１    ズーム初期位置センサ
５３    第５レンズ群位置センサ
５４    操作環
５５    固定筒
５６    表示部
５７    操作環位置検出部
５８    （パターンエンコーダ付き）基板
５９    ブラシ
６０    ズーム位置検出部
Ｌ２    第２レンズ群（変倍レンズ群）
Ｌ４    第４レンズ群（変倍レンズ群）
Ｌ５    第５レンズ群（合焦レンズ群）
【手続補正９】
【補正対象書類名】特許請求の範囲
【補正対象項目名】全文
【補正方法】変更
【補正の内容】
【特許請求の範囲】
【請求項１】
固定筒と、
前記固定筒に対して周方向に無制限に回転可能に保持された操作環と、
距離目盛と指標線により前記操作環と前記固定筒の相対的な位置関係を表示する表示手段と、
前記操作環の回転位相を検出する回転位相検出手段と、
レンズを保持し、前記操作環が回転操作されることによって光軸方向で移動するレンズ保持枠と、
前記レンズ保持枠の光軸方向での位置を検出するレンズ位置検出手段と、
前記表示手段における表示を制御する表示制御手段とを備え、
前記表示手段において、前記距離目盛と前記指標線の一方が前記操作環と前記固定筒の一方に表示されると共に、前記距離目盛と前記指標線の他方が前記操作環と前記固定筒の他方に表示され、
前記表示制御手段は、前記回転位相検出手段により検出された前記操作環の回転位相と、前記レンズ位置検出手段により検出された前記レンズ保持枠の光軸方向での位置とに基づいて、前記表示手段に表示する前記距離目盛と前記指標線の位置関係を決定することを特徴とするレンズ鏡筒。
【請求項２】
前記回転位相検出手段は、パターンエンコーダとインクリメンタル方式の位置検出手段とを組み合わせて、前記操作環の回転位相を検出することを特徴とする請求項１に記載のレンズ鏡筒。
【請求項３】
前記表示手段は、電子表示装置を有し、
前記表示制御手段は、前記電子表示装置への通電が切断されている待機状態から前記電子表示装置への通電が行われている撮影可能状態へ復帰した後に、前記操作環が前記パターンエンコーダのパターン切り替わり位置を超えたときに、前記表示手段に前記距離目盛または前記指標線を表示することを特徴とする請求項２記載のレンズ鏡筒。
【請求項４】
前記距離目盛と前記指標線の一方は、前記操作環と前記固定筒の一方に印刷または刻印により表示され、前記距離目盛と前記指標線の他方は、前記電子表示装置に表示されることを特徴とする請求項３に記載のレンズ鏡筒。
【請求項５】
前記レンズは、合焦レンズ群と変倍レンズ群を含み、
前記レンズ保持枠は、前記合焦レンズ群を保持する保持枠と、前記変倍レンズ群を保持する保持枠とを有し、
前記操作環が回転操作されることによって前記合焦レンズ群を保持する保持枠が光軸方向に移動することを特徴とする請求項１乃至４のいずれか１項に記載のレンズ鏡筒。
【請求項６】
前記レンズ位置検出手段は、前記合焦レンズ群の位置と前記変倍レンズ群の位置をそれぞれ検出し、
前記表示制御手段は、前記レンズ位置検出手段が検出した前記合焦レンズ群の位置および前記変倍レンズ群の位置と、前記回転位相検出手段が検出した前記操作環の位置とに基づいて、前記表示手段に表示する前記距離目盛と前記指標線の位置関係を決定することを特徴とする請求項５に記載のレンズ鏡筒。
【請求項７】
請求項１乃至６のいずれか１項に記載のレンズ鏡筒を備えることを特徴とする光学装置。